(57)【要約】【課題】簡単な構造で、人体を均一に加圧して容易かつ適切に整復することのできる整復器具の提供。【解決手段】人体を加圧可能な加圧袋２を備える。加圧袋２の袋内部に流体を収容する。加圧袋２に押圧板３を止着する。押圧板３に外力を加えて加圧袋２を人体に向けて押圧する。押圧板３が加圧袋２の局所的な変形を防止する。パスカルの原理により、加圧袋２の袋内部の流体が加圧袋２の内部から外面に向けて均一な圧力を作用させる。人体に押圧した加圧袋２が人体を均一に加圧して整復する。【選択図】  図１
2014200483.tif 000002
【特許請求の範囲】
【請求項１】
人体を加圧可能な加圧袋を備え、前記加圧袋は、その袋内部に流体が収容されると共に、外力を受けて当該加圧袋を人体に向けて押圧する押圧板が止着されたことを特徴とする整復器具。
【請求項２】
前記押圧板は、加圧袋の複数箇所に分割して止着されたことを特徴とする請求項１に記載の整復器具。
【請求項３】
前記押圧板は、可撓性を有する可撓板とされたことを特徴とする請求項１又は２に記載の整復器具。
【請求項４】
前記押圧板は、外力を受ける際の滑りを阻止する滑り止めが設けられたことを特徴とする請求項１、２又は３に記載の整復器具。
【請求項５】
前記押圧板は、加圧袋に対して着脱自在とされたことを特徴とする請求項１〜４のいずれかに記載の整復器具。
【発明の詳細な説明】
【技術分野】
【０００１】
本発明は、人体を加圧して整復するための整復器具に関するものである。
【背景技術】
【０００２】
一般に、人体の関節をその変位や可動障害に対して整復する際、関節に適宜軸圧をかけつつ周囲から関節の軸中心に向けて均等な圧力を加えるようにしている。このような圧力を容易に加えるための手段として、例えば、特許文献１は、２つの金属球で構成した押圧転子を設けて、脊柱を左右から脊柱中心に向けて均等な圧力で押圧するようにした細密脊柱整復器を開示している。
【先行技術文献】
【特許文献】
【０００３】
【特許文献１】特開平８−１４１０３１号公報（段落番号０００４、０００９、００１１）
【発明の概要】
【発明が解決しようとする課題】
【０００４】
ところで、関節を整復する際に、大掛かりな器具を用いることなく、術者がその手指で関節に均等な圧力を加えるには熟練を要し、特に、関節に軸圧をかけながら中心に向けて均等に押圧するにはより高度な技術を必要とする。
【０００５】
本発明は、簡単な構造で、人体を均一に加圧して容易かつ適切に整復することのできる整復器具を提供することを目的とする。
【課題を解決するための手段】
【０００６】
上記目的を達成するために、本発明に係る整復器具は、人体を加圧可能な加圧袋を備えたものであり、その加圧袋が、袋内部に流体を収容すると共に、外力を受けてこの加圧袋を人体に向けて押圧する押圧板を止着したものである。
【０００７】
上記構成によれば、加圧袋の袋内部に流体を収容するので、パスカルの原理により、加圧袋の内部から外面に向けて均一な圧力を作用させることができ、加圧袋で人体を均一に加圧することができる。しかも、加圧袋に押圧板を止着するので、加圧袋を手指などで直接押圧する場合のように外力を受けた部位だけが大きく変形するのを防止することができ、加圧袋の全体を効率よく人体に向けて押圧することができる。
【０００８】
ここで、加圧袋に収容する流体としては、気体や液体、粉体など、全体として流動性を有するものであればどのようなものであってもよいが、特に、水などの非圧縮性の流体が好ましい。非圧縮性の流体を収容した加圧袋は、手指などから過度の力を受けた部位が凹んだ場合に、その分だけ他の部位が手指などを押し返すので、手指などで加圧袋の変形を感じ取って、加える力のバランスを取ることができる。さらに、加圧袋に適度の粘性を有する流体を収容することにより、押圧板に加える力を変化させたときの加圧袋の形状変化を緩やかにすることができ、その分、手指などで加える力の調節を容易にすることができる。
【０００９】
また、押圧板を加圧袋の複数箇所に分割して止着するようにしてもよい。この構成によれば、押圧板を複数に分割するので、複数の押圧板を全体として自由に変形させることができ、押圧板によって加圧袋の変形が阻害されるのを防止して、人体の加圧部位の形状に合わせて加圧袋を変形させることができる。
【００１０】
また、押圧板を、可撓性を有する可撓板としてもよい。この構成によれば、加圧袋に可撓性の押圧板を止着するので、加圧袋のうちの力を加えた部位だけを大きく変形させることなく、押圧板を加圧袋の変形に追従させることができ、加圧袋を滑らかに変形させることができる。
【００１１】
また、押圧板に、外力を受ける際の滑りを阻止する滑り止めを設けるようにしてもよい。この構成によれば、押圧板に滑り止めを設けるので、押圧板が変形するなどして、その表面が手指などから受ける力の向きに対して傾斜する場合であっても、手指などを滑らせることなく、確実に力を受けることができる。
【００１２】
また、押圧板を加圧袋に対して着脱自在とするようにしてもよい。この構成によれば、押圧板を適宜着脱して、その位置を調節することができ、人体の加圧部位の形状に応じて、加圧袋の適切な部位を押圧することができる。
【発明の効果】
【００１３】
以上のとおり、本発明によると、加圧袋に流体を収容すると共に押圧板を止着するので、押圧板に力を加えて加圧袋を人体に向けて押圧し、パスカルの原理により、均一な圧力で人体を加圧することができる。これにより、整復器具として、加圧袋に流体を収容して押圧板を止着しただけの簡単な構成を採用しつつ、この整復器具を用いて人体を均一に加圧することができ、容易かつ適切に整復することができる。
【図面の簡単な説明】
【００１４】
【図１】本発明に係る整復器具の斜視図（第１実施形態）
【図２】加圧袋の斜視図（第１実施形態）
【図３】押圧板の斜視図（第１実施形態）
【図４】頚椎の整復を示す模式図（第１実施形態）
【図５】従来の手指による頚椎の整復を示す模式図
【図６】椎間関節の整復を示す模式図（第１実施形態）
【図７】整復器具の斜視図（第２実施形態）
【図８】加圧袋の斜視図（第２実施形態）
【図９】押圧板の斜視図（第２実施形態）
【図１０】頚胸移行部の整復を示す模式図（第２実施形態）
【図１１】整復器具の斜視図（第３実施形態）
【図１２】整復器具の斜視図（第４実施形態）
【図１３】整復器具の表面側から見た斜視図（第５実施形態）
【図１４】整復器具の裏面側から見た斜視図（第５実施形態）
【図１５】押圧板の斜視図（第５実施形態）
【図１６】膝蓋大腿関節の整復を示す斜視図（第５実施形態）
【図１７】整復器具の斜視図（第６実施形態）
【図１８】整復器具の丸めた状態を示す斜視図（第６実施形態）
【図１９】整復器具の分解図（第６実施形態）
【図２０】加圧袋の斜視図（第６実施形態）
【図２１】押圧板の斜視図（第６実施形態）
【図２２】（ａ）は手関節及び手根骨の加圧を示す斜視図、（ｂ）は手関節及び手根骨の整復を示す斜視図（第６実施形態）
【図２３】手関節及び手根骨の整復を示す模式図（第６実施形態）
【図２４】大菱形骨第一中手骨の整復を示す斜視図（第６実施形態）
【図２５】大菱形骨第一中手骨の整復を示す模式図（第６実施形態）
【図２６】膝関節の整復を示す斜視図（第６実施形態）
【図２７】膝関節の加圧を示す模式図（第６実施形態）
【図２８】関節の変位を示す模式図
【図２９】関節の整復を示す模式図
【図３０】整復器具を用いた加圧を示す模式図
【発明を実施するための形態】
【００１５】
以下、本発明に係る整復器具の第１実施形態〜第６実施形態について、図面を用いて説明する。
【００１６】
［第１実施形態］
図１〜図３に示すように、第１実施形態の整復器具１は、整復する際に人体を加圧する「へ」形の加圧袋２に、この加圧袋２を人体に向けて押圧するよう外力を加えるための押圧板３を止着した構造とされ、加圧袋２の袋内部に非圧縮性の流体が収容されている。
【００１７】
加圧袋２は、例えば、食品保存用のポリエチレン製の袋を左右対称の「へ」形に切断し、市販の超音波用（エコー用）ジェルを封入しつつ、市販の熱溶着式のシーラーを用いて周縁部４を溶着して形成される。この加圧袋２の表面には、２つの押圧板３をそれぞれ止着するための面ファスナー５の２つの止着側ファスナー５ａが左右対象な位置に設けられている。
【００１８】
なお、加圧袋２は、ポリエチレン製のものに限らず、十分な可撓性があり、かつ、袋内部の流体を漏らすことなく収容可能なものであれば、どのような素材から形成されたものであってもよい。また、加圧袋２に収容する非圧縮性の流体は、超音波用ジェルに限らず、水であってもよいが、整復器具１を押えたときの袋内部での流れが緩やかな分、適度の粘性を有する流体の方がより好ましい。さらに、加圧袋２に収容する流体としては、非圧縮性の流体に限らず、気体などの圧縮性の流体であってもよく、全体として流動性を示すものであれば、粉体などであってもよい。
【００１９】
押圧板３は、例えば、可撓性を有すると共にある程度の剛性を有するポリプロピレン製で略長方形の可撓板を基板６として、その表面側に、外力を受ける際の滑りを阻止するためのゴム板などの滑り止め７を設けた構造とされる。なお、基板６は、ポリプロピレン製のものに限らず、ある程度の剛性を有するものであれば、どのような素材から形成されたものであってもよい。また、滑り止め７は、必要に応じて設ければよく、必ずしも設ける必要はない。
【００２０】
押圧板３の裏面側には、面ファスナー５の被着側ファスナー５ｂが設けられ、この被着側ファスナー５ｂと加圧袋２に設けられた止着側ファスナー５ａとにより、押圧板３が加圧袋２に対して着脱自在とされている。押圧板３が加圧袋２に対して着脱自在であることにより、患者に応じて、加圧袋２に対する押圧板３の位置を調節することができる。
【００２１】
面ファスナー５で２つの押圧板３を加圧袋２に止着することにより、押圧板３が加圧袋２の左右対称な位置に分割して止着され、押圧板３によって加圧袋２の変形が阻害されるのを防止し、しかも、加圧袋２を押圧する際に、その押圧部分の局所的な変形が抑えられて、加圧袋２を押圧しやすくなる。
【００２２】
次に、整復器具を用いたリフト法によって頚椎を整復する様子を説明する。
【００２３】
まず、図４に示すように、患者を仰向けに寝かせた状態で、その頚椎８の下側に整復器具１を挿入して、頚椎８の位置に左右対称に加圧袋２を当てる。次いで、左右の押圧板３に術者の手指９を当てて、左右のバランスを保ちながら押圧板３を緩やかに持ち上げ、術者が手指９に一定の圧力を感じるまで待った後、さらに、しばらくの時間が経過するまで、そのままの状態を維持して整復する。
【００２４】
押圧板３を持ち上げた状態を維持しているとき、頚椎８の左右のうちの潤滑不全が生じている側に、術者が硬質感を感じたり、患者が圧痛や違和を感じたり、あるいは、潤滑不全が生じているのと反対側に何も感じないことが多い。
【００２５】
整復器具１を用いてリフトすることにより、左右のうちの片側に過剰な力が入ると、加圧袋２の袋内部の流体が流動して、これを察知することができ、押圧板３を均等に持ち上げることを意識するだけで、頚椎８に容易に均一な圧力１０をかけることができる。
【００２６】
なお、図５に示すように、整復器具１を用いることなく、術者がその手指９で直接リフトする場合には、頚椎８に対する手指９の押圧位置やリフトの方向、力の大きさ、軟組織の排除などが左右で不均一になることがあり、リフト法によって十分な効果が得られないおそれがある。
【００２７】
また、図６に示すように、整復器具を用いて座位診察台を使用して椎間関節を整復するには、まず、患者を良姿位で座位診察台に座らせて、後方から一方の手で整復器具１を椎間関節１１に押し当て、反対側の手で患者頭部１２に頭軸圧１３を加えて整復する。この場合も、椎間関節１１の左右のうち、潤滑不全が生じていると思われる側に、患者が圧痛や違和を感じることが多い。
【００２８】
［第２実施形態］
図７〜図９に示すように、第２実施形態の整復器具１４は、第１実施形態の整復器具１とほぼ同じ構成であるが、加圧袋１５が幅広で、その全面を隙間なく覆うように押圧板１６が設けられている。押圧板１６は、第１実施形態の整復器具１と同様、左右対称に分割されている。
【００２９】
次に、整復器具を用いて頚胸移行部を整復する様子を説明する。
【００３０】
まず、図１０に示すように、患者に姿勢を正して座らせて、頚胸移行部１７に整復器具１４を上方から包み込むように押し当て、脊柱長軸方向に加圧しながら、患者に合掌させた状態で数回上肢を挙上させて整復する。
【００３１】
患者が上肢を挙上する際、頚胸移行部１７の左右のうち、異常が生じていると思われる側において、患者が圧痛を感じたり、術者が患者の上肢の挙上に伴う整復器具１４の反発力を感じたりすることが多い。これは、髄核の転移のために、ルシュカ関節を支点に異常側の椎間関節１８が上方に浮き上がるために、これを圧痛や挙上時の反発力として感じるものと考えられる。
【００３２】
また、数回の挙上の後、術者が整復器具１４の反発力を感じなくなった段階で、頚胸移行部１７のレバーアーム現象や症状の消失又は軽減が確認されることが多い。なお、頚胸移行部１７の場合、他の椎間関節の整復と異なり、髄核の整復が必要となるが、圧力をかけた状態で上肢を挙上させることによって、脊柱中心に整復応力が集中し、上肢挙上型汎用整復法（頭軸圧変法）と同様のメカニズムにより整復されるものと考えられる。他の構成は、第１実施形態と同じである。
【００３３】
［第３実施形態］
図１１に示すように、第３実施形態の整復器具１９は、第１実施形態の整復器具１とほぼ同じ構成であるが、加圧袋２０が折れ角の小さいＶ字形とされている。押圧板３は、第１実施形態の整復器具１と同様、略長方形で、左右対称に止着されている。他の構成は、第１実施形態と同じである。
【００３４】
［第４実施形態］
図１２に示すように、第４実施形態の整復器具２１は、第１実施形態の整復器具１とほぼ同じ構成であるが、加圧袋２２が折れ角のない帯形とされている。押圧板２３は、第１実施形態の整復器具１と同様、略長方形であるが、加圧袋２２の全面を隙間なく覆うように左右対称に止着されている。また、押圧板２３は、面ファスナー５を用いることなく、両面テープ２４で加圧袋２２に取外し不能に止着されている。他の構成は、第１実施形態と同じである。
【００３５】
［第５実施形態］
図１３〜図１５に示すように、第５実施形態の整復器具２５は、第１実施形態の整復器具１とほぼ同じ構成であるが、加圧袋２６が全体として略正方形とされている。
【００３６】
加圧袋２６は、その周縁部２７が溶着されると共に、連通部２８を残して袋部分を左右に仕切るように周縁部２７の一辺の中央から反対側に向けて溶着してなる仕切部２９が形成され、袋部分が略Ｕ字形に形成されている。
【００３７】
押圧板３０は、略Ｕ字形に形成されると共に、分割部３１を介して左右に分割され、加圧袋２６の袋部分を隙間なく覆うように止着されている。また、押圧板３０は、第４実施形態と同様、面ファスナー５を用いることなく、両面テープ３２で加圧袋２６に取外し不能に止着されている。他の構成は、第１実施形態と同じである。
【００３８】
次に、整復器具を用いて膝蓋大腿関節を整復する様子を説明する。
【００３９】
まず、図１６に示すように、患者を仰向けに寝かせて整復する側の膝を立てさせる。この患者膝関節屈曲位で、膝蓋大腿関節に整復器具２５を押し当て、静かに面圧を加えて整復する。整復器具２５は、袋内部の流体が連通部２８を通って左右に流動するので、左右方向に均等に加圧することができる。
【００４０】
［第６実施形態］
図１７〜図２１に示すように、第６実施形態の整復器具３３は、第１実施形態の整復器具１とほぼ同じ構成であるが、整復する部位の全周に巻き付けることができる程度に、加圧袋３４が比較的に大型の帯状とされ、この加圧袋３４に、二枚の左右押圧板３５と一枚の中央押圧板３６とが止着されている。
【００４１】
左右押圧板３５と中央押圧板３６とは、これらを面ファスナーで着脱自在に止着される連結布３７を介して一体化され、左右押圧板３５に、加圧袋３４に止着するための面ファスナー５の被着側ファスナー５ｂが設けられている。
【００４２】
次に、整復器具を用いて手関節及び手根骨を整復する様子を説明する。
【００４３】
まず、図２２（ａ）に示すように、整復器具３３を手関節及び手根骨の全周に巻き付け、図２２（ｂ）に示すように、中枢方向に整復圧を加えて整復する。その際、図２３に示すように、下から手根骨３８のアーチを持ち上げるように保持し、上からは手根骨３８のアーチを包み込むように保持して圧力を加える。さらに、整復器具３３で加圧した状態で、患者に手関節の掌屈自動運動及び背屈自動運動をさせることにより、可動域の改善が確認されることが多い。
【００４４】
次に、整復器具を用いて大菱形骨及び第一中手骨を整復する様子を説明する。
【００４５】
まず、図２４及び図２５に示すように、第一中手骨３９及び大菱形骨４０を包み込むように整復器具３３を巻き付けて、患者にスポンジボール４１を軽く持たせる。次いで、整復器具３３で第一中手骨３９及び大菱形骨４０の全体を加圧しつつ、患者に母指先４２でスポンジボール４１を押し込むように握らせて、第一中手骨３９及び大菱形骨４０の間に十分に軸圧をかけ、この状態をしばらく維持して整復する。
【００４６】
次に、整復器具を用いて膝関節を整復する様子を説明する。
【００４７】
まず、図２６及び図２７に示すように、患者の膝関節４３に整復器具３３を巻き付けて、術者が左右の母指４４、示指４５及び三指でリングを作るようにして整復器具３３を関節裂隙に押し当て、膝関節４３を均一に加圧する。さらに、患者に膝関節４３を加圧している方の足底で術者の腹を押させて膝関節４３に軸圧を加え、膝関節４３の静水圧を高めて潤滑させて整復する。
【００４８】
次に、整復器具を用いて肩関節を整復する様子を説明する。
【００４９】
まず、整復器具３３を肩関節の周囲に巻き付けて、患者に正面でボールを両手掌で挟んで持たせる。この状態で、患者に肩関節を挙上させて、肘が水平かつ３０度に屈曲したダイヤモンド形状を作らせ、整復器具３３で加圧したまま、ボールを手掌で挟み込ませて加圧させることにより、肩関節に軸圧を加えて整復する。
【００５０】
さらに、ボールを挟ませて軽く加圧したまま、ボールを頭上に差し上げるように上肢を挙上させる。その際、上肢挙上と共に肘を内に絞らせて肩関節内旋位で挙上させることにより、可動域の拡大が確認されることが多い。
【００５１】
以上の通り、第１実施形態〜第６実施形態の整復器具を用いて整復することにより、整復する部位を均一な圧力で容易に加圧することができ、良好な整復の効果を得ることができる。
【００５２】
具体的に説明すると、まず、図２８に示すように、関節４６の両側のうちの末梢骨の移転方向としては、上下方向４７、左右方向４８、軸周りの捻転４９、関節面の離開５０が考えられ、この中で最も問題となるのが関節面の離開５０と潤滑不全である。
【００５３】
これに対して、例えば脊柱椎間関節については、左右椎間関節に均等の圧力を加えることにより、潤滑の獲得に繋がり整復できると考えられ、特に、軸圧を加えることにより、より望ましい効果が得られる。
【００５４】
そこで、図２９及び図３０に示すように、整復器具を用いて関節４６の周囲を均一に加圧することにより、上下方向４７及び左右方向４８の転移については、整復器具による加圧で相殺することができる。
【００５５】
また、軸周りの捻転４９及び関節面の離開５０については、整復器具による加圧だけでは十分な整復力が作用していないものの、関節４６の内圧を高めて易整復状態にすることができる。この易整復状態で、関節４６の長軸方向に軸圧を加えることにより、関節面の離開５０を整復すると共に、潤滑を獲得することができ、さらに、軸周りの捻転４９も関節４６が適合することによって除去される。
【００５６】
なお、関節４６を片側のみから加圧することにより、反対側の関節離開を生む可能性があるため、関節４６を整復するには、関節４６の両側を整復器具で加圧しつつ、長軸方向に加圧するのが好ましい。また、一度の整復において、複数の整復器具を同時に用いることもできるが、１つの整復器具を用いることにより、関節４６を均一に加圧することができる分、より好ましい。
【００５７】
ここで、関節４６を整復器具で加圧した状態で、関節長軸方向へ加圧する方法としては、整復器具介助型自重整復法、整復器具介助型自動運動整復法及び整復器具介助型軸圧整復法の三種類の方法とその混合型が考えられ、そのうち、整復器具介助型自重整復法は、自重で軸圧をかける方法であり、整復器具介助型自動運動整復法は、患者に運動をさせて自家筋力で軸圧をかける方法であり、整復器具介助型軸圧整復法は、術者が軸圧をかける方法である。
【００５８】
また、軟部組織については、圧力を加えることにより、筋層、皮膚、筋膜などの軟組織が潤滑の獲得、軟部組織の水分の展性により軟部組織が伸長することにより整復されると考えられる。
【符号の説明】
【００５９】
１    整復器具（第１実施形態）
２    加圧袋
３    押圧板
４    周縁部
５    面ファスナー
５ａ  止着側ファスナー
５ｂ  被着側ファスナー
６    基板
７    滑り止め
８    頚椎
９    手指
１０  圧力
１１  椎間関節
１２  看者頭部
１３  頭軸圧
１４  整復器具（第２実施形態）
１５  加圧袋
１６  押圧板
１７  頚胸移行部
１８  椎間関節
１９  整復器具（第３実施形態）
２０  加圧袋
２１  整復器具（第４実施形態）
２２  加圧袋
２３  押圧板
２４  両面テープ
２５  整復器具（第５実施形態）
２６  加圧袋
２７  周縁部
２８  連通部
２９  仕切部
３０  押圧板
３１  分割部
３２  両面テープ
３３  整復器具（第６実施形態）
３４  加圧袋
３５  左右押圧板
３６  中央押圧板
３７  連結布
３８  手根骨
３９  第一中手骨
４０  大菱形骨
４１  スポンジボール
４２  母指先
４３  膝関節
４４  母指
４５  示指
４６  関節
４７  上下方向
４８  左右方向
４９  軸周りの捻転
５０  関節面の離開
【図１】
2014200483.tif 000003
【図２】
2014200483.tif 000004
【図３】
2014200483.tif 000005
【図７】
2014200483.tif 000006
【図８】
2014200483.tif 000007
【図９】
2014200483.tif 000008
【図１１】
2014200483.tif 000009
【図１２】
2014200483.tif 000010
【図１３】
2014200483.tif 000011
【図１４】
2014200483.tif 000012
【図１５】
2014200483.tif 000013
【図１６】
2014200483.tif 000014
【図１７】
2014200483.tif 000015
【図１８】
2014200483.tif 000016
【図１９】
2014200483.tif 000017
【図２０】
2014200483.tif 000018
【図２１】
2014200483.tif 000019
【図２２】
2014200483.tif 000020
【図２４】
2014200483.tif 000021
【図２６】
2014200483.tif 000022
【図４】
2014200483.tif 000023
【図５】
2014200483.tif 000024
【図６】
2014200483.tif 000025
【図１０】
2014200483.tif 000026
【図２３】
2014200483.tif 000027
【図２５】
2014200483.tif 000028
【図２７】
2014200483.tif 000029
【図２８】
2014200483.tif 000030
【図２９】
2014200483.tif 000031
【図３０】
2014200483.tif 000032